(57)【要約】【課題】ただ単なる装飾性の付与された数珠を提供することだけにとどまらず、使用者が仏事に際して通常の使用形態で数珠を使用して合掌するときに、使用者の合掌姿の優雅さや美しさがさりげなく自然に醸し出されて見栄えがよくなるように工夫した数珠を提供する。【解決手段】数珠輪１の親珠３と房６とを連結している紐４に結び目７を形成し、その結び目７に輪奈８を具備させる。輪奈８は、結び目７の糸の一部をその結び目７から引き出して形成する。結び目７に、その左右に張り出す一対の輪奈８，８を形成することが可能である。【選択図】        図１
0003181072.tif 000002
【実用新案登録請求の範囲】
【請求項１】
数珠輪の親珠に紐を介して房が連結されている数珠であって、親珠と房とを連結している紐に輪奈を具備させていることを特徴とする数珠。
【請求項２】
上記輪奈が、上記紐に形成されている結び目の糸の一部をその結び目から引き出して形成されている請求項１に記載した数珠。
【請求項３】
一対の上記輪奈を有し、それらの輪奈が、正面視において上記結び目の両側へ張り出している請求項２に記載した数珠。
【考案の詳細な説明】
【技術分野】
【０００１】
本考案は、数珠、特に使用時の優雅さや美しさを表現するための対策が講じられた数珠に関する。
【背景技術】
【０００２】
法具（仏具）の１つとして知られている数珠は「珠数」又は「念珠」とも呼ばれていて、多くの珠に紐（糸）を通して数珠輪が形成され、その数珠輪の多くの珠群の中の基となる珠、すなわち親珠から引き出された紐に記子珠（ぼさ）を通し、さらに記子珠に通した紐に房を具備させてある。そして、葬式や法事、墓参りなどの仏事に際して、一般的には、片手又は両手の指を数珠輪に通し、その数珠輪を人差し指と親指との間に挟んで合掌する、といった使い方が行われている。
【０００３】
このような数珠の一般的な形状や構成は先行例により周知である（たとえば、特許文献１参照）。そして、特許文献１には、数珠が普段用や儀式用に使い分けられることや、数珠の房をカラフルにして装飾性を付与すること、などについての記述があるほか、１つの数珠輪に対して色などの異なる複数の房を付け替えられるようにすることについての記述もある。
【先行技術文献】
【特許文献】
【０００４】
【特許文献１】実用新案登録第３１０２９５５号公報
【考案の概要】
【考案が解決しようとする課題】
【０００５】
しかしながら、特許文献１によって示されている数珠は、普段用や儀式用に使い分けることを意図していて、房をカラフルにするなどして装飾性を付与しようとしているものである。
【０００６】
そこで、本考案は、ただ単なる装飾性の付与された数珠を提供することだけにとどまらず、使用者が仏事に際して通常の使用形態で数珠を使用して合掌するときに、使用者の合掌姿の優雅さや美しさがさりげなく自然に醸し出されて見栄えがよくなるように工夫した数珠を提供することを目的とする。
【課題を解決するための手段】
【０００７】
本考案に係る数珠は、数珠輪の親珠に紐を介して房が連結されている数珠であって、親珠と房とを連結している紐に輪奈を具備させている。この構成を採用した数珠は、使用者が通常の使用形態で数珠を使用して合掌するときに、親珠と房とを連結している紐に具備されている輪奈が数珠全体の見栄えを高めることに役立ち、使用者の合掌姿の優雅さや美しさがさりげなく自然に醸し出されるようになる。
【０００８】
本考案では、上記輪奈が、上記紐に形成されている結び目の糸の一部をその結び目から引き出して形成されている、という構成を採用することが可能である。この構成であれば、親珠と房とを連結している紐の一部によって輪奈が形作られているので、輪奈を数珠に追加するために余分な部品、たとえば数珠輪の紐とは別の紐で作製した部品としての輪奈を用意する必要がなくなり、そのための余分な手間やコストがかからなくなる。
【０００９】
本考案では、一対の上記輪奈を有し、それらの輪奈が、正面視において上記結び目の両側へ張り出している、という構成を採用することが可能である。この構成であれば、正面視において上記結び目の両側へ張り出している一対の輪奈によって、数珠の正面からの見栄えが顕著に高められる。そのため、使用者の合掌姿の優雅さや美しさがさりげなく自然に醸し出される、という作用が顕著に発揮されるようになる。
【考案の効果】
【００１０】
以上のように、本考案に係る数珠によれば、親珠と房とを連結している紐に具備されている輪奈が、数珠の装飾性を高めることに役立つことは勿論、その輪奈が数珠全体の見栄えを高めることに役立つので、使用者が仏事に際して通常の使用形態で数珠を使用して合掌するときに、使用者の合掌姿の優雅さや美しさがさりげなく自然に醸し出されるようになる。特に、一対の輪奈が、正面視において結び目の両側へ張り出している、という構成を採用することによって、数珠の見栄えや使用者の合掌姿の優雅さや美しさが顕著に表現されるようになるという卓越した効果が得られる。
【図面の簡単な説明】
【００１１】
【図１】本考案の実施形態に係る数珠を一部省略して示した正面図である。
【図２】図１の要部を拡大して示した正面図である。
【図３】本考案の他の実施形態に係る数珠を一部省略して示した正面図である。
【図４】図３の要部を拡大して示した正面図である。
【考案を実施するための形態】
【００１２】
図１は本考案の実施形態に係る数珠を一部省略して示した正面図、図２は図１の要部を拡大して示した正面図である。
【００１３】
図１において、数珠輪１は、所要数ずつの親珠、主珠、二天珠などの珠２の貫通穴に糸束を挿通させて輪にすることによって形成されている。また、親珠３から組紐などでなる装飾性を有する紐４が引き出されていて、その紐４に記子珠５を通してある。そして、記子珠５に挿通された紐４の端部に房６が設けられている。事例では、房６が２つ設けられているけれども、房６は１つであってもよく、また、房６の形状は図例に限定されない。
【００１４】
図１又は図２のように、親珠３と房６とを連結している紐４の中間部に結び目７が形成されていて、その結び目７に輪奈８を具備させてある。図例では、結び目７に、正面視においてその左右両側に張り出した一対の輪奈８を具備させてある。また、一対の輪奈８は、結び目７の糸の一部をその結び目７から左右に引き出して形成されている。このため、一対の輪奈８も装飾性を有する組紐によって形成されている。結び目７には、「叶結び」「平編み」「総角結び」「梅結び」「几帳結び」といった各種の装飾性を有する結び方を好適に採用することができるのであって、図例の結び目７には「叶結び」が採用されている。この「叶結び」は、表からは十字形に見え、裏からは井桁形に見えるという特徴を有している。
【００１５】
この実施形態の数珠は、輪奈８や結び目７などが数珠全体の見た目の装飾性を高めることに役立っている。そして、そのことにとどまらず、使用者が通常の使用形態で数珠を使用して合掌するときに、親珠３と房６とを連結している紐４に具備されている一対の輪奈８，８が、数珠全体の正面からの見栄えを高めることに特に役立つ。そのため、使用者の合掌姿の優雅さや美しさがさりげなく自然に醸し出されるようになる。
【００１６】
この実施形態では、輪奈８が、紐４に形成されている結び目７の糸の一部をその結び目７から引き出して形成されているために、輪奈８を数珠に追加するために余分な部品、たとえば数珠輪１の紐とは別の紐で作製した部品としての輪奈を用意する必要がなくなり、それだけ製作の手間やコストがかからなくなるという利点がある。
【００１７】
図３は本考案の他の実施形態に係る数珠を一部省略して示した正面図、図４は図３の要部を拡大して示した正面図である。
【００１８】
図３又は図４に示した実施形態の数珠において、図１又は図２を参照して説明したものと異なる点は、記子珠５と結び目７との間に位置している紐４を２条に分け、それら２条の紐４を正面から見て左右に張り出す湾曲状に形作ってループ状の輪奈８を形成してある点である。また、記子珠５のサイズが、図１又は図２の数珠のそれよりも大きくなっている点でも相違している。その他の構成は図１又は図２を参照して説明したところと同様であるので、同一要素に同一符合を付して説明の重複を回避する。
【００１９】
このものによっても、使用者が通常の使用形態で数珠を使用して合掌するときに、親珠３と房６とを連結している紐４に具備されている輪奈８が、数珠全体の装飾性を高めることに役立つだけでなく、数珠全体の正面からの見栄えを高めることに特に役立つ。そのため、使用者の合掌姿の優雅さや美しさがさりげなく自然に醸し出されるようになる。
【００２０】
この実施形態では、輪奈８が、記子珠５と結び目７との間に位置している紐４を２条に分けて輪奈８を形成しているため、輪奈８を数珠に追加するために余分な部品、たとえば数珠輪１の紐とは別の紐で作製した部品としての輪奈を用意する必要がなくなり、それだけ製作の手間やコストがかからなくなるという利点がある。
【符号の説明】
【００２１】
１  数珠輪
３  親珠
４  紐
６  房
７  結び目
８  輪奈
【図１】
0003181072.tif 000003
【図２】
0003181072.tif 000004
【図３】
0003181072.tif 000005
【図４】
0003181072.tif 000006